(57)【特許請求の範囲】
【請求項１】
複数の蓄電素子が配列された蓄電素子群と、
前記蓄電素子群の電極に接続される平板状の外部端子と、
開口部を有し前記蓄電素子群を収容するケース本体と、
前記ケース本体の前記開口部を塞いで前記ケース本体に取付けられた、平坦な上面を有するカバーとを備え、
前記カバーは、前記カバーの前記上面から陥没する窪み部を有し、
前記外部端子は、前記カバーの前記上面と平行に配置され、
前記外部端子は、前記カバーの前記上面より低い位置において、前記カバーの前記窪み部の底部から露出されており、
さらに、第１の封止部材を有し、
前記外部端子は、前記ケース本体内を延在されて前記窪み部から露出されており、
前記第１の封止部材は、前記カバーの前記上面と前記カバーの前記窪み部との段部を形成する側部と、前記外部端子との間に介装され、前記カバーと前記外部端子とを密封する、蓄電装置。
【請求項２】
請求項１に記載の蓄電装置において、
さらに、第２の封止部材および端子台を有し、
前記端子台は、外部端子載置面と、封止面とを有し、
前記端子台の前記外部端子載置面に前記外部端子が載置され、
前記第２の封止部材は、前記端子台の前記封止面と前記カバーの前記窪み部の前記底部との間に介装され、前記カバーの窪み部と前記端子台とを密封する、蓄電装置。
【請求項３】
請求項２に記載の蓄電装置において、
前記端子台は、前記外部端子の外周に、前記外部端子載置面と前記封止面との仕切り部となる突起部を有する、蓄電装置。
【請求項４】
請求項２に記載の蓄電装置において、
前記外部端子に貫通孔が形成され、
前記端子台に、前記外部端子の貫通孔に対応してねじ孔が形成されている、蓄電装置。
【請求項５】
請求項２から請求項４までのいずれか一項に記載の蓄電装置において、
前記蓄電素子群は、正極および負極の前記電極を有し、
前記外部端子は、前記正極の前記電極に接続される正極外部端子および前記負極の前記電極に接続される負極外部端子を有し、
前記端子台は、前記正極外部端子が配置される正極用端子台および前記負極外部端子が配置される負極用端子台を有する、蓄電装置。
【請求項６】
請求項５に記載の蓄電装置において、
前記カバーは、平面視で、一対の長辺と一対の短辺とを有する矩形形状を有し、前記窪み部は、前記カバーの２つのコーナー部に設けられ、かつ、２つの窪み部は、前記一対の長辺のうちの一方側に共通して対面している、蓄電装置。
【発明の詳細な説明】
【技術分野】
【０００１】
本発明は、蓄電装置に関する。
【背景技術】
【０００２】
近年、リチウムイオン二次電池などの蓄電装置は、電気自動車、ハイブリッド電気自動車、あるいは電気機器の電源として利用されている。
電池モジュールは、複数の二次電池セルをケース内に配列し、各二次電池セルの正・負極電極をバスバ等により相互に電気的に接続された組電池を備えている。二次電池装置は、このような電池モジュールを１個あるいは複数個備え、電源用端子および信号用コネクタを介して車両側のコントローラと接続されている。
【０００３】
電池モジュールは、組電池の一端側に配置された二次電池セルの正極電極に接続される外部正極端子および組電池の他端側に配置された二次電池セルの負極電極に接続される外部負極端子を備えている。外部正極端子および外部負極端子は、それぞれ、バスバに立設され、上端部に設けられたねじ部にナットを螺合して、電気配線が接続される（例えば、特許文献１の図１２参照）。
【先行技術文献】
【特許文献】
【０００４】
【特許文献１】米国特許公開２０１５−００７２２０６号公報
【発明の概要】
【発明が解決しようとする課題】
【０００５】
特許文献１に記載された電池モジュールは、外部正・負極端子がバスバに立設されている。このため、電池モジュールの高さが高くなり、高さ方向に空間となる無駄なスペースが生じる。このため、小型化を図ることができない。
【課題を解決するための手段】
【０００６】
本発明の一態様によると、蓄電装置は、複数の蓄電素子が配列された蓄電素子群と、前記蓄電素子群の電極に接続される平板状の外部端子と、開口部を有し前記蓄電素子群を収容するケース本体と、前記ケース本体の前記開口部を塞いで前記ケース本体に取付けられた、平坦な上面を有するカバーとを備え、前記カバーは、前記カバーの前記上面から陥没する窪み部を有し、前記外部端子は、前記カバーの前記上面と平行に配置され、前記外部端子は、前記カバーの前記上面より低い位置において、前記カバーの前記窪み部の底部から露出されており、さらに、第１の封止部材を有し、前記外部端子は、前記ケース本体内を延在されて前記窪み部から露出されており、前記第１の封止部材は、前記カバーの前記上面と前記カバーの前記窪み部との段部を形成する側部と、前記外部端子との間に介装され、前記カバーと前記外部端子とを密封する。
【発明の効果】
【０００７】
本発明によれば、外部端子を備える蓄電装置の小型化を図ることができる。
【図面の簡単な説明】
【０００８】
【図１】本発明の蓄電装置の一実施の形態としての二次電池装置の外観斜視図。
【図２】図１に示す二次電池装置の分解斜視図。
【図３】図２の反対方向から見た二次電池装置の分解斜視図。
【図４】図２に図示されたケース本体の斜視図。
【図５】図２に図示されたケース本体に二次電池セルと仕切り部材とを収納した状態の斜視図。
【図６】図２に図示された二次電池装置において、上カバーを外した組付け状態を示す上面斜視図。
【図７】図１に図示されたＨＶ端子近傍の拡大図。
【図８】図７において、上カバーを取外した斜視図。
【図９】（Ａ）は、図６におけるＩＸ−ＩＸ線断面図、（Ｂ）は、（Ａ）の斜視図。
【図１０】（Ａ）は、図６におけるＸ−Ｘ線断面図、（Ｂ）は、（Ａ）の斜視図。
【発明を実施するための形態】
【０００９】
以下、本発明の蓄電装置の一実施の形態を、図面を参照して説明する。なお、以下では、蓄電装置として二次電池装置を例示して説明する。
図１は、本実施例を示す二次電池装置１の外観を示す上面斜視図である。二次電池装置１は、ケース本体２と上カバー３で構成されるケースを備えている。二次電池装置１の上面の長手方向両端には、外部端子であるＨＶ端子８１およびＨＶ端子２１が設けられている。ＨＶ端子８１およびＨＶ端子２１は、それぞれ、平面視で、ほぼＵ字形状を有し、ほぼ中央部に貫通孔１８が形成されている。二次電池装置１は、ＨＶ端子８１およびＨＶ端子２１にＨＶケーブルを接続することにより、電気自動車やハイブリッド電気自動車、あるいは電気機器に、電力が供給される。本一実施の形態では、ＨＶ端子８１が（＋）側、ＨＶ端子２１が（−）側である。
二次電池装置１の上面には信号用コネクタ７１が配置されている。信号用コネクタ７１は二次電池装置１のコントローラの信号用コネクタであり、車両側のコントローラと接続されて、情報のやり取りや電源（例えば、１２Ｖ）の供給を受ける。
なお、以下の説明において、左右方向、前後方向、上下方向を、それぞれ、図示の方向とする。
【００１０】
（二次電池装置の全体構造）
図２は、1に示す二次電池装置の分解斜視図であり、図３は図２の反対方向から見た二次電池装置の分解斜視図であり、図４は図２に図示されたケース本体の斜視図である。
ケース本体２は、底部２ａを有し、上方が開口された直方体形状のボックス状の部材である。ケース本体２には、長手方向（左右方向）の中間部に前後方向に延在する仕切り壁３０が設けられている。ケース本体２は、例えば、ＰＢＴ等の樹脂により形成されている。仕切り壁３０は、モールド成型によりケース本体２と一体に成型されている。
ケース本体２内には、複数の二次電池セル４、および隣接する二次電池セル４間に介装された仕切り部材５が長手方向（左右方向）に配列されている。また、ケース本体２内には、二次電池セル４と仕切り部材５とが配列された領域の上方に押圧用カバー６、一対のバンドプレート１０、コントロール基板７が収容されている。さらに、ケース本体２には、二次電池セル４と仕切り部材５とが収容された領域の左端側にジャンクションボックス８およびリレー８２（図３参照）が収容されている。なお、図３には、リレー８２は１つのみが図示されているが、ジャンクションボックス８には、正負極のメインリレーおよび負極プリチャージリレー等、複数のリレーを備えているものもある。ケース本体２には、長手方向（左右方向）の右側部に、空気などの冷却媒体をケース内に取り入れる流入口２２および冷却媒体をケースから排出する排出口２３が形成されている。
【００１１】
上カバー３は、上面３ａが平坦で、平面視で、一対の長辺と一対の短辺とを有する矩形形状を有する。上カバー３の後方側の２つのコーナー部には、上面３ａから陥没した窪み部１１L、１１Rが形成されている。窪み部１１L、１１Rのそれぞれの底部１２には、ＨＶ端子８１およびＨＶ端子２１の外周に沿って、Ｕ字形状に形成された開口１２ａ（図２参照）が設けられている。ＨＶ端子８１、２１は、それぞれ、窪み部１１L、１１Rの底部１２の開口１２ａから露出している。
【００１２】
ケース本体２の一対の側部２ｂのそれぞれの上端側には、複数の係合片２ｃが設けられている。係合片２ｃは、モールド成型によりケース本体２に一体に形成されている。上カバー３の一対の長辺のそれぞれには、ケース本体２の各係合片２ｃに係止される複数の係止片３ｂが設けられている。係止片３ｂは、モールド成型により上カバー３に一体に形成されている。
【００１３】
二次電池セル４は、例えば、リチウムイオン二次電池である。
二次電池セル４は、電池缶４２と電池蓋４１とを接合して構成された電池容器内に不図示の発電要素が収容され、非水電解液が注入された角形の二次電池セルである。電池缶４２および電池蓋４１は、例えば、アルミニウム等の金属により形成されている。
電池蓋４１の幅方向（前後方向）の一端側付近には正極電極４３が、他端側付近には負極電極４４が設けられている。正・負極電極４３、４４は、それぞれ、発電要素の正・負極の電極に接続されている。正・負極電極４３、４４は、電池蓋４１の平坦な上面から上方に突出している。
【００１４】
二次電池セル４は、電池蓋４１と反対側の底面、左右方向に対向する大面積の表裏面および前後方向に対向する小面積の一対の側面を有する。二次電池セル４は、大面積の表裏面を対向して、正極電極４３、負極電極４４が交互に反対側に配置されるように直線状に配列されている。
【００１５】
二次電池セル４の間には仕切り部材５が配設されている。この仕切り部材５は、左端側の二次電池セル４の左側および右端側の二次電池セル４の右側（配列方向の前後端）にも配設されている。仕切り部材５は、例えば、ＰＢＴ（ポリブチレンテレフタレート）等の樹脂により形成される。
【００１６】
図４に図示されるように、ケース本体２の底部２ａには、前後方向に延在された複数の横リブ２４と、横リブ２４間に配置された縦リブ２５が形成されている。一対の横リブ２４と一対の縦リブ２５で囲まれた矩形の領域は、二次電池セル４の収納領域Ｆｃとされ、この収納領域Ｆｃ内に二次電池セル４の底部側が収納される。
また、ケース本体２の左右方向に延在する一対の側部２ｂの内側には、縦リブ２５に対向する領域に隆起部２７が形成されている。隆起部２７間には、横リブ２４の厚さ（左右方向の長さ）に等しい幅の摺動用溝２６が形成されている。仕切り部材５は、摺動用溝２６内に挿通され、隆起部２７に案内されて、摺動用溝２６内で上下方向に摺動可能に取付けられる。
横リブ２４、縦リブ２５、隆起部２７は、モールド成型によりケース本体２に一体に形成される。
【００１７】
図５は、図２に図示されたケース本体に二次電池セルと仕切り部材とを収納した状態の斜視図であり、図６は、図２に図示された二次電池装置において、上カバーを外した組付け状態を示す上面斜視図である。
上述した通り、ケース本体２の底部２ａに形成された横リブ２４と縦リブ２５で形成される収納領域Ｆｃ内に各二次電池セル４の底部側が収納される。各二次電池セル４の間には、横リブ２４の厚さ（左右方向の長さ）とほぼ等しい幅の摺動用溝２６が介在され、この摺動用溝２６内に仕切り部材５が挿通される。仕切り部材５は摺動用溝２６を下方向に摺動され、下端がケース本体２の底部２ａに形成された横リブ２４の上面に当接した位置で停止する。仕切り部材５の高さ（上下方向の長さ）は、二次電池セル４の表裏面の高さ（上下方向の長さ）より小さく、仕切り部材５が底部２ａの内面に当接した状態では、仕切り部材５の上端は、二次電池セル４の電池蓋４１より下方に位置する。この状態が図５に図示されている。
【００１８】
仕切り部材５は、絶縁性樹脂により形成されており、充電時等において二次電池セル４が膨張し、その表裏面が張り出すことにより隣接する二次電池セル４が接触して短絡するのを防止する。また、仕切り部材５は、枠状に形成され、隣接する二次電池セル４間に空気等の冷却媒体が流動する冷却通路となる空隙Ｓ（図２、図３参照）を備えている。図２、図３に図示されるように、仕切り部材５は、前後方向の長さが二次電池セル４の前後方向の長さよりも大きく形成されている。仕切り部材５における、二次電池セル４の前方側面から突出する部分は、冷却媒体の流入口２２に連通している。仕切り部材５における、二次電池セル４の後方側面から突出する部分は、冷却媒体の排出口２３に連通している。流入口２２から流入した空気等の冷却媒体は、各仕切り部材５の空隙Ｓ内を流動し、排出口２３から排出される。
【００１９】
複数の二次電池セル４と、二次電池セル４間および二次電池セル４の配列方向の両端に配置された仕切り部材５とは、直線状に配列された組電池１Ｒ（図５参照）、すなわち蓄電素子群を構成する。
組電池１Ｒの上部に押圧用カバー６が配置される。押圧用カバー６上には、前部側部および後部側部に沿って左右方向に延在する一対のバンドプレート１０が配置される。バンドプレート１０は、ねじ等の締結部材９１（図６参照）によりケース本体２に固定される。押圧用カバー６は、バンドプレート１０とケース本体２に挟圧されて組電池１Ｒ上に固定される。押圧用カバー６の上面の前後方向におけるほぼ中央には、コントロール基板７が配置される。コントロール基板７は、ねじ等の締結部材９２（図６参照）により、ケース本体２に固定される。
押圧用カバー６は、例えば、ＰＰまたはＰＰＥ（変性ポリフェニレンエーテル）等の樹脂により形成される。
【００２０】
コントロール基板７は、二次電池セル４を接続するセル間バスバ９（図６参照）に電気的に接続され、各二次電池セル４の電圧を測定、監視している。セル間バスバ９は、配列方向（左右方向）に隣接する一方の二次電池セル４の正極電極４３と、他方の二次電池セル４の負極電極４４とに溶接等により接合され、組電池１Ｒを構成する二次電池セル４のすべてを直列に接続する。コントロール基板７には二次電池装置１全体の監視や制御を行うための回路が実装されている他、信号用コネクタ７１、７２、７３（図６参照）が実装されている。信号用コネクタ７１は、車両側のコントローラと接続して、情報のやり取りや電源（例えば、１２Ｖ）の供給を受けている。信号用コネクタ７２はサーミスタ用コネクタで一部の二次電池セル４の表面の温度や冷却風の温度の測定値を取り込む。信号用コネクタ７３は、組電池１Ｒの左端側に隣接して配置されたジャンクションボックス８に設けられたリレー８２（図３参照）を動作させる電源（例えば、１２Ｖ）を供給している。
【００２１】
図６に図示された状態において、ケース本体２に上カバー３が取付けられて図１に図示される二次電池装置１が構成される。上カバー３は、例えば、ＰＰ（ポリプロピレン）等の樹脂により形成されている。
【００２２】
図７は、図１に図示されたＨＶ端子近傍の拡大図であり、図８は、図７において、上カバーを取外した斜視図である。
上述したように、上カバー３には、上面３ａから陥没する２つの窪み部１１Lが設けられている。ＨＶ端子８１は、それぞれ、上カバー３の窪み部１１Lにおいて、上カバー３から露出されている。窪み部１１RとＨＶ端子２１についても同様である。
図８に図示されるように、ケース本体２内には、端子台６５が収容されている。端子台６５は、ケース本体内の左側端部付近および右側端部付近に配置されている。ＨＶ端子８１は、端子台６５上に配置される。以下、ＨＶ端子８１の取付構造について説明するが、ＨＶ端子２１の取付構造はＨＶ端子８１ほぼ同一である。
【００２３】
図９（Ａ）は、図６におけるＩＸ−ＩＸ線断面図であり、図９（Ｂ）は、図９（Ａ）の斜視図である。また、図１０（Ａ）は、図６におけるＸ−Ｘ線断面図であり、図１０（Ｂ）は、図１０（Ａ）の斜視図である。但し、図９および図１０においては、図６において、上カバーが正規に取付けられている状態として図示されている。
ＨＶ端子８１は、組電池１Ｒの配列方向の一端側に配置された二次電池セル４の正極電極４３に接続される正極側のバスバ８１Ａに一体に形成されている。すなわち、ＨＶ端子８１は、正極側のバスバ８１Ａの端部に、該バスバ８１Ａの一部として設けられており、上カバー３の上面３ａとほぼ平行に延在され、平面視でＵ字形状の平板状部材である。ＨＶ端子８１は、端子台６５の上面に配置され、上カバー３の窪み部１１Lの底部１２に形成された開口１２ａ（図２、図３参照）から露出している。ＨＶ端子８１の上面８１ｂは、窪み部１１Lの底部１２の上面１２ｂより少し高い位置に位置している。
【００２４】
上カバー３の窪み部１１Lと上カバー３の上面３ａとの間には、上カバー３の窪み部１１Lの段部を形成する側部１２ｃが形成されている。側部１２ｃの下端とＨＶ端子８１の上面８１ｂとの間には隙間Ｃ1（図９参照）が設けられている。この隙間Ｃ1には、第１の封止部材１５が介装されている。第１の封止部材１５は、ほぼ中央部で段部の側部１２ｃの下端によりＨＶ端子８１に押圧されており、これにより、上カバー３とＨＶ端子８１とが密封されている。第１の封止部材１５の側部１２ｃにより押圧される部分に、凹部１５ａ（図９参照）を形成してもよい。
【００２５】
端子台６５には、ほぼＵ字形状のＨＶ端子８１の外周面に接するように該外周面に沿ってＵ字形状に形成された突起部６６が形成されている。突起部６６は、モールド成型により端子台６５に一体に形成されている。突起部６６の上端は、ＨＶ端子８１の上面８１ｂとほぼ同一の高さに位置している。端子台６５の突起部６６の内周側の上面６５ａ上に、ＨＶ端子８１の端部が載置されている。つまり、端子台６５の突起部６６の内周側の上面６５ａは、ＨＶ端子８１が載置される外部端子載置面となっている。端子台６５の突起部６６の外周側の上面６５ｂは、内周側の上面６５ａより低い位置に位置している。端子台６５の突起部６６の外周側の上面６５ｂと上カバー３の窪み部１１L の底部１２の下面との間には、第２の封止部材１６が介装されている。換言すれば、端子台６５の突起部６６の外周側の上面６５ｂは、窪み部１１L の底部１２の上面１２ｂから、窪み部１１L の底部の厚さと第２の封止部材１６の厚さとを合わせた厚さ分、低い位置に位置している。
【００２６】
上カバー３の窪み部１１L の底部１２は、第２の封止部材１６を端子台６５の上面６５ｂに押し付けている。これにより、上カバー３の窪み部１１L の底部１２と端子台６５とが密封されている。つまり、端子台６５の突起部６６の外周側の上面６５ｂは、第２の封止部材１６が載置される封止面となっている。
【００２７】
端子台６５には、ＨＶ端子８１の貫通孔１８に対応してねじ孔６７が設けられている。図示はしないが、ＨＶ端子８１の貫通孔１８を介して、ＨＶケーブル先端に設けられた端子部を固定するボルト等の締結部材が端子台６５のねじ孔６７に締結される。これにより、ＨＶケーブルを介して、二次電池装置１が車両等に搭載された電気機器に接続される。
【００２８】
上記一実施の形態によれば、下記の効果を奏する。
（１）上カバー３は、該上カバー３の上面３ａから陥没する窪み部１１L、１１Rを有し、
ＨＶ端子８１、２１は、上カバー３の上面３ａと平行に配置され、ＨＶ端子８１、２１は、上カバー３の上面３ａより低い位置において、上カバー３の窪み部１１L、１１Rの底部から露出している。このため、外部端子であるＨＶ端子８１、２１を備える二次電池装置１の高さを抑え、小型化を図ることができる。
【００２９】
（２）ＨＶ端子８１、２１は、バスバ８１Ａ、２１Ａ（２１Ａは図示せず）の端部に、該バスバ８１Ａ、２１Ａの一部として設けられている。このため、部品点数および組付け工数を低減し、安価にすることができる。
【００３０】
（３）二次電池装置１は、第１の封止部材１５を有する。ＨＶ端子８１、２１は、ケース本体２内を延在されて窪み部１１L、１１R から露出されており、第１の封止部材１５は、上カバー３の上面３ａと上カバー３の窪み部１１L、１１Rとの段部を形成する側部１２ｃと、ＨＶ端子８１、２１との間に介装されている。これにより、上カバー３とＨＶ端子８１、２１とを密封することができる。
【００３１】
（４）二次電池装置１は、第２の封止部材１６および端子台６５を有し、端子台６５は、外部端子載置面となる上面６５ａと、封止面となる上面６５ｂとを有する。端子台６５の上面６５ａにＨＶ端子８１、２１が載置され、第２の封止部材１６は、端子台６５の上面６５ｂと上カバー３の窪み部１１L、１１Rの底部１２との間に介装されている。これにより、上カバー３の窪み部１１L、１１Rと端子台６５とを密封することができる。
【００３２】
（５）端子台６５は、ＨＶ端子８１、２１の外周に、上面６５ａと上面６５ｂとの仕切り部となる突起部６６を有する。これにより、ＨＶ端子８１、２１の端子台６５上での位置決めが容易となり、また、第２の封止部材１６の組付けを能率的に行うことができる。
【００３３】
（６）ＨＶ端子８１、２１に貫通孔１８が形成され、端子台６５に、ＨＶ端子８１、２１に貫通孔１８に対応してねじ孔６７が形成されている。このため、外部機器に接続されるＨＶケーブル先端に設けられた端子部を、ボルト等の締結部材により端子台６５のねじ孔６７に締結することが可能となる。
【００３４】
なお、上記実施形態では、ＨＶ端子８１、２１をバスバ８１Ａ、２１Ａに、該バスバ８１Ａ、２１Ａの一部として形成した構造として例示した。しかし、ＨＶ端子８１、２１は、バスバ８１Ａ、２１Ａとは別部材として作製するようにしてもよい。
【００３５】
上記実施形態では、ＨＶ端子８１、２１を、端子台６５に取付ける構造として例示した。しかし、ＨＶ端子８１、２１は、ケース本体２や、コントロール基板７を支持する押圧用カバー６等に固定用ボス部を設けて固定するようにしてもよい。
【００３６】
上記実施形態では、ケース本体２と上カバー３とが上下に積層して配置された構造として例示した。しかし、ケース本体２と上カバー３とを横方向に配列する構造、換言すれば、上記実施形態を９０度回転した構造としてもよい。
【００３７】
上記実施形態では、リチウムイオン二次電池セルを有する二次電池装置を蓄電装置として例示した。しかし、本発明を、ニッケル水素電池セル、鉛電池セル、ニッケルカドミウム電池セル等、リチウムイオン二次電池セル以外の二次電池セルを有する二次電池装置に適用することができる。また、本発明を、リチウイオンキャパシタ等の蓄電素子を有する蓄電装置に適用することもできる。
【００３８】
上記実施形態における、ケース内部の構造、冷却構造等は単なる一例として示したに過ぎない。冷却構造や内部の構造は異なるものであってもよい。本発明はこれらの内容に限定されるものではない。本発明の技術的思想の範囲内で考えられるその他の態様も本発明の範囲内に含まれる。
【符号の説明】
【００３９】
１      二次電池装置
１Ｒ    組電池
２      ケース本体
３      上カバー
３ａ    上面
４      二次電池セル
１１L 、１１R    窪み部
１２      底部
１２ｃ    側部
１５      第１の封止部材
１６      第２の封止部材
１８      貫通孔
２１      ＨＶ端子
４３      正極電極
４４      負極電極
６５      端子台
６５ａ、６５ｂ    上面
６６      突起部
６７      ねじ孔
８１      ＨＶ端子 
８１Ａ    バスバ
Ｆｃ      収納領域
【図１】
0006560988.tif 000002
【図２】
0006560988.tif 000003
【図３】
0006560988.tif 000004
【図４】
0006560988.tif 000005
【図５】
0006560988.tif 000006
【図６】
0006560988.tif 000007
【図７】
0006560988.tif 000008
【図８】
0006560988.tif 000009
【図９】
0006560988.tif 000010
【図１０】
0006560988.tif 000011